(57)【要約】【課題】フィルター清掃や交換に係るメンテナンス作業を容易に行うことができ、メンテナンスコストを抑制することのできる集塵ユニットを提供する。【解決手段】吸気口２２を介してケース１２の内部の集塵室１８に吸い込んだ含塵空気を濾過するフィルター３２，３４を備えた集塵ユニット１０であって、フィルター３２，３４は、空気通過面がケース１２の前側面１２ａに対して垂直な面である平面状のフィルターであり、ケース１２の前側面１２ａから前後方向に引き出し可能に集塵室１８の内部に設けられ、ケース１２の前側面１２ａには、フィルター３２，３４を集塵室１８の内部から引き出す際にフィルター３２，３４の通過を阻害しないようケース１２の前側面１２ａを開放するメンテナンス用の扉４８，５０が設けられる。【選択図】図１
2016049470.tif 000002
【特許請求の範囲】
【請求項１】
吸気口を介してケースの内部の集塵室に吸い込んだ含塵空気を濾過するフィルターを備えた集塵ユニットであって、
前記フィルターは、空気通過面が前記ケースの前側面に対して垂直な面である平面状のフィルターであり、前記ケースの前側面から前後方向に引き出し可能に前記集塵室の内部に設けられ、
前記ケースの前側面には、前記フィルターを前記集塵室の内部から引き出す際に前記フィルターの通過を阻害しないよう前記ケースの前側面を開放するメンテナンス用の扉が設けられることを特徴とする集塵ユニット。
【請求項２】
前記フィルターは、空気通過面が上下方向を向く平面状のフィルターであることを特徴とする請求項１に記載の集塵ユニット。
【請求項３】
複数枚の前記フィルターを積層配置したことを特徴とする請求項１または２に記載の集塵ユニット。
【請求項４】
前記フィルターを、複数枚のプレフィルターと、この複数枚のプレフィルターで濾過した空気をさらに濾過するメインフィルターとを含んで構成したことを特徴とする請求項１〜３のいずれか一つに記載の集塵ユニット。
【請求項５】
前記フィルターで濾過された空気を前記ケースの外部に排気する排気口をさらに備え、この排気口に排気空気を濾過するためのフィルターを設けたことを特徴とする請求項１〜４のいずれか一つに記載の集塵ユニット。
【発明の詳細な説明】
【技術分野】
【０００１】
本発明は、粉塵を集塵処理するために使用される集塵ユニットに関し、例えば医薬品を製造する医薬品製造工場などに備わるクリーンルームなどの室内で発生する粉塵を集塵処理する集塵ユニットに関するものである。
【背景技術】
【０００２】
従来、医薬品を製造する医薬品製造工場では、医薬品の製造品質を確保するために、製造の各工程において空気清浄度を保持しつつ、製品への異物の混入を防止することが最重要の課題となっている。また、これと同様に、製造に従事する作業員の作業環境を向上することも重要な課題である。
【０００３】
医薬品製造工場には通常、空気清浄度が確保された部屋としてクリーンルームが設置されるが、この中で取り扱う医薬品や原料などの暴露する部分から粉等の粒子状物がどうしてもクリーンルーム内に拡散してしまう。クリーンルーム内に拡散し浮遊する粉等をどのように集塵し、作業員に与える影響を少なくするかについては、そこで製造する医薬品の種類や製造工程で方法が異なり、歩留まりにも影響する大きな問題であった。
【０００４】
浮遊する粉等を集塵する簡単な方法として、例えば図６に示すように、クリーンルーム１内の作業エリア２の直近にポータブル型の集塵機３を設置して、この集塵機３で粉等４を集塵する方法がある。しかしながら、ポータブル型の集塵機を用いるこの方法では、浮遊する粉等４を１００％集塵除去することはできない。また、いったん集塵機３の内部に吸引された粉等が、集塵機３の排気口から当該作業エリア２の周辺に撒き散らされることで、清潔度の確保が困難となるおそれがある。さらに、集塵機３を作業員Ｐの近くに設置することになるため集塵機３のファンによる騒音が大きくなり、作業効率の低下を招くおそれがある。
【０００５】
この問題を解決するため、例えば図７に示すように、クリーンルーム１から隔離した部屋５に集塵機６を設置するとともに両部屋をダクト７で繋ぎ、クリーンルーム１内で浮遊している粉等４をダクト７を介して隔離した部屋５の集塵機６に集塵する方法が考えられる。この方法では、クリーンルーム１の清浄度の向上が図られる半面、ダクト７の配管工事が必要となる。
【０００６】
ここで、隔離した部屋に設置する集塵機としては、例えば、特許文献１に示されるような汎用型のパルスジェット式集塵装置を用いることができる。この特許文献１の集塵装置は、直方体箱状の機体からなり、その内部は下側から上側に向けて集塵室と、除塵室と、清浄室とに仕切られている。集塵室の外側面には含塵空気の吸引パイプが接続され、清浄室の天井面には濾過された清浄空気の排気口が設けられている。集塵室の内部には複数本の略円筒状のフィルターがその軸方向を上下にして吊り下げられており、集塵室の底部にはダストバケットが引出自在に設けられている。また、集塵室の一側面には、ダストバケットの取り出し扉および壁板が、エアー漏れを起こさないように締付具によって取り付けられている。
【０００７】
この特許文献１の集塵装置では、集塵運転によってフィルターに初期的な目詰りが生じた場合には、除塵運転を行って、パルスジェットによるフィルター払い落しを行う。より具体的には、除塵室のブローチューブよりベンチュリーを通して各フィルター内に除塵用の高圧エアーを吹き込み、付着している粉塵をフィルターから払い落して下側のダストバケットに回収する。フィルターに付着しているダストがこの除塵運転では払い落すことのできない粉塵である場合、例えば、粉塵にヒュームや油分が混ざったり、これがフィルターにこびり着いているような場合には、機体の壁板を取り外し、外部よりエアーガンのノズルを集塵室内部に挿入してフィルターにこびり着いている粉塵をクリーニングする。汚れがよりひどい場合などには、集塵室内部に手を入れてフィルターを取り外し、新しいフィルターと交換することになる。
【先行技術文献】
【特許文献】
【０００８】
【特許文献１】特開２００２−２８２６３７号公報
【発明の概要】
【発明が解決しようとする課題】
【０００９】
しかしながら、上記の特許文献１に示されるような汎用型の集塵装置を、例えば図８に示すように、一台しか配置できないほど狭い部屋５に設置する場合には、集塵装置（集塵機６）をメンテナンスするための作業スペースは部屋５内に十分に確保できない。この場合、集塵機の側面の壁板の取り外しが困難となって、フィルター交換や清掃などのメンテナンス作業を行うのが難しくなるおそれがある。また、フィルターの形状が略円筒状であり、製品価格が一般的なフィレドンフィルター（プレフィルター）に比べて高額であることから、フィルター交換に係る費用が高くなるおそれがある。
【００１０】
このため、狭い部屋に設置した場合でも、フィルター清掃や交換に係るメンテナンス作業を容易に行うことができ、メンテナンスコストを抑制することのできる集塵ユニットの開発が求められていた。
【００１１】
本発明は、上記に鑑みてなされたものであって、フィルター清掃や交換に係るメンテナンス作業を容易に行うことができ、メンテナンスコストを抑制することのできる集塵ユニットを提供することを目的とする。
【課題を解決するための手段】
【００１２】
上記した課題を解決し、目的を達成するために、本発明に係る集塵ユニットは、吸気口を介してケースの内部の集塵室に吸い込んだ含塵空気を濾過するフィルターを備えた集塵ユニットであって、前記フィルターは、空気通過面が前記ケースの前側面に対して垂直な面である平面状のフィルターであり、前記ケースの前側面から前後方向に引き出し可能に前記集塵室の内部に設けられ、前記ケースの前側面には、前記フィルターを前記集塵室の内部から引き出す際に前記フィルターの通過を阻害しないよう前記ケースの前側面を開放するメンテナンス用の扉が設けられることを特徴とする。
【００１３】
また、本発明に係る他の集塵ユニットは、上述した発明において、前記フィルターは、空気通過面が上下方向を向く平面状のフィルターであることを特徴とする。
【００１４】
また、本発明に係る他の集塵ユニットは、上述した発明において、複数枚の前記フィルターを積層配置したことを特徴とする。
【００１５】
また、本発明に係る他の集塵ユニットは、上述した発明において、前記フィルターを、複数枚のプレフィルターと、この複数枚のプレフィルターで濾過した空気をさらに濾過するメインフィルターとを含んで構成したことを特徴とする。
【００１６】
また、本発明に係る他の集塵ユニットは、上述した発明において、前記フィルターで濾過された空気を前記ケースの外部に排気する排気口をさらに備え、この排気口に排気空気を濾過するためのフィルターを設けたことを特徴とする。
【発明の効果】
【００１７】
本発明に係る集塵ユニットによれば、吸気口を介してケースの内部の集塵室に吸い込んだ含塵空気を濾過するフィルターを備えた集塵ユニットであって、前記フィルターは、空気通過面が前記ケースの前側面に対して垂直な面である平面状のフィルターであり、前記ケースの前側面から前後方向に引き出し可能に前記集塵室の内部に設けられ、前記ケースの前側面には、前記フィルターを前記集塵室の内部から引き出す際に前記フィルターの通過を阻害しないよう前記ケースの前側面を開放するメンテナンス用の扉が設けられるので、フィルター交換や清掃の際には、ケースの前側面からメンテナンス用の扉を開いて集塵室の内部のフィルターを手前側に引き出すことで、これを集塵ユニットから容易に取り出すことができる。これにより、フィルター交換や清掃に係るメンテナンス作業を容易に行うことができるという効果を奏する。また、フィルターの形状が平面状であり、安価で入手できる汎用のフィレドンフィルター（プレフィルター）を利用可能であることから、フィルター交換に係る費用を低く抑えることができる。したがって、メンテナンスコストを抑制することができるという効果を奏する。
【００１８】
また、本発明に係る他の集塵ユニットによれば、前記フィルターは、空気通過面が上下方向を向く平面状のフィルターであるので、フィルターの引き出し操作を、机や棚等の引き出しを引き出すのと同じ要領で簡単に行えるという効果を奏する。
【００１９】
また、本発明に係る他の集塵ユニットによれば、複数枚の前記フィルターを積層配置したので、フィルターの汚れ方は気流の向きに応じて上流側のフィルターから下流側のフィルターに向かって順にひどくなる。例えば、空気通過面が上下方向を向く平面状のフィルターを上下に積層配置したものにおいて、含塵空気が下から上に向けて流れる場合には、最下段に位置するフィルターが最も汚れるので、このフィルターから順番に集塵ユニットから取り出してフィルターを清掃し、あるいはフィルター交換することができる。さらに必要に応じて、より上段のフィルターを取り出して清掃あるいはフィルター交換することができる。このように積層配置したものから個別のフィルターを引き出し可能にすることで、メンテナンスが不要なフィルターを取り出さずに済み、メンテナンスが必要なフィルターだけを簡単に取り出すことができる。このため、フィルターの清掃や交換作業が省力化されて容易になるという効果を奏する。
【００２０】
また、本発明に係る他の集塵ユニットによれば、前記フィルターを、複数枚のプレフィルターと、この複数枚のプレフィルターで濾過した空気をさらに濾過するメインフィルターとを含んで構成したので、上記の効果に加えて、集塵効果を高めることができるという効果を奏する。
【００２１】
また、本発明に係る他の集塵ユニットによれば、前記フィルターで濾過された空気を前記ケースの外部に排気する排気口をさらに備え、この排気口に排気空気を濾過するためのフィルターを設けたので、上記の効果に加えて、排気口から排気される空気の清浄度を高めることができるという効果を奏する。
【図面の簡単な説明】
【００２２】
【図１】図１は、本発明に係る集塵ユニットの一例を示す分解斜視図である。
【図２】図２は、本発明に係る集塵ユニットの一例を示す概略左側面図である。
【図３】図３は、本発明に係る集塵ユニットの一例を示す概略前側面図である。
【図４】図４は、本発明に係る集塵ユニットの一例を示す概略上面図であり、狭い部屋に設置した場合の図である。
【図５】図５は、集塵室の内部のＨＥＰＡフィルターの部分概略斜視図である。
【図６】図６は、従来のクリーンルーム内の作業エリアの直近にポータブル型の集塵機を設置した場合の概略側面図である。
【図７】図７は、クリーンルームから隔離した部屋に集塵機を設置するとともに両部屋をダクトで繋いだ場合の概略側面図である。
【図８】図８は、集塵機をクリーンルームから隔離した狭い部屋に設置した場合の概略平面図である。
【発明を実施するための形態】
【００２３】
以下に、本発明に係る集塵ユニットの実施の形態を図面に基づいて詳細に説明する。なお、この実施の形態では、医薬品製造工場に配備される粉体に液体を加える液調整室のようなクリーンルーム内で発生する粉塵を集塵処理するために、クリーンルームから隔離した狭い部屋に設置される集塵ユニットを例にとり説明するが、この実施の形態によりこの発明が限定されるものではない。
【００２４】
図１〜図４に示すように、本発明に係る集塵ユニット１０は、直方体箱状のケース１２を備えている。このケース１２の寸法は、図４に示すような狭い部屋１４（例えば開閉ドア１４ａの間口幅８００ｍｍ、奥行き１２００ｍｍ、高さ２０００ｍｍ程度）にちょうど収まる程度の大きさとすることができる。
【００２５】
ケース１２の内部は、水平な仕切板１６によって、下側の集塵室１８と上側のファン室２０とに仕切られている。ここで、仕切板１６は略中央に開口１６ａを有し、下側の集塵室１８と上側のファン室２０とを連通状態にしている。ケース１２の後面外側の下部には、上方に開口した吸気口２２が取り付けダクト２４を介して設けられ、ケース１２の上面には上方に開口した排気口２６が設けられている。
【００２６】
図２に示すように、吸気口２２にはクリーンルームに連通するダクト２８が接続可能となっており、クリーンルームの含塵空気はこのダクト２８を通じて吸気口２２からダクト２４を経て集塵室１８に吸引されるようになっている。なお、ケース１２の下面の四隅にはストッパー付きのキャスター車輪３０が取り付けてあり、集塵ユニット１０は床面を走行して移動可能である。
【００２７】
集塵室１８には、含塵空気を濾過するための複数のフィルターが設けられている。より具体的には、集塵室１８内部の下側には５枚（複数枚）の平面状のプレフィルター３２が上下方向に積層配置され、その上側には、中央が開口した中間仕切板１８ａを挟んでメインフィルターとしての平箱型のＨＥＰＡフィルター（Ｈｉｇｈ  Ｅｆｆｉｃｉｅｎｃｙ  Ｐａｒｔｉｃｕｌａｔｅ  Ａｉｒ  Ｆｉｌｔｅｒ）３４が配置される。なお、プレフィルター３２は不織布製であり、図１に示すように、アルミ製の長方形枠体３２ａを有する。このような配置構成とすることで、集塵効果を高めることができる。集塵室１８の最下部には、上方のフィルターから落下するダストを受けて回収するための平皿状のダストトレイ３６が設けられる。
【００２８】
また、ファン室２０には、図２〜図４に示すように、ファン３８およびファン３８を駆動するためのファンモータ４０が基台４２を介して水平な仕切板１６上に設けられている。なお便宜上、図１の斜視図にはファンモータ４０は図示していない。ファン３８は、渦巻型のケーシング３８ａと、ケーシング３８ａに収容される羽根車（不図示）と、この羽根車の回転軸方向に開口する吸入口３８ｂから吸入した空気を上方に開口した吐出口３８ｃに吐出するための通風路３８ｄとを有した遠心ファンである。なお、ファン３８として、例えば出力２．２ｋＷ程度の安全増防爆型のターボファンを用いれば、風量２１ｍ３／ｍｉｎ程度（静圧２．２ｋＰａ）の能力を有する集塵ユニットを構築することが可能である。また、ケース１２の右側面の上側には、ファン３８をメンテナンスするための扉４４が設けられている。
【００２９】
排気口２６には、排気空気を濾過するための簡易的なフィルターが設けられている。なお、図２および図３に示すように、排気口２６には必要に応じてこのフィルターに加えてまたは代えて、ＨＥＰＡフィルター４６を設けることができる。こうすることで、排気口２６から排気される空気の清浄度を高めることが可能である。
【００３０】
この構成において、ファン３８を稼動すると、吸気口２２からダクト２４を通じて含塵空気が集塵室１８に吸い込まれる。集塵室１８に吸い込まれた含塵空気は下側から上側に流れ、５枚のプレフィルター３２、ＨＥＰＡフィルター３４により順次濾過されて集塵処理され、集塵処理された清浄空気は仕切板１６の開口１６ａを通過してファン３８の吸入口３８ｂに入り、その通風路３８ｄ内を通って吐出口３８ｃより吐出される。吐出された空気は排気口２６からケース１２の外部に排気され、さらにはＨＥＰＡフィルター４６がある場合にはこれを通過して外部に排気される。
【００３１】
ここで、本実施の形態で用いる各プレフィルター３２およびＨＥＰＡフィルター３４は、いずれも空気通過面が上下方向を向く平面状のフィルターであり、ケース１２の前側面１２ａの下側から前後方向に引き出し可能に集塵室１８の内部に設けられている。また、集塵室１８の内部の最下部に位置するダストトレイ３６も前後方向に引き出し可能に設けられている。
【００３２】
より具体的には、集塵室１８の中間仕切板１８ａの下側の空間の左右内面には、前後方向に延在する凸状の案内レール５８が上下方向に所定間隔で６段取り付けられている。そして、各案内レール５８上には、プレフィルター３２およびダストトレイ３６のそれぞれの左右縁部が載置され、案内レール５８に沿ってそれぞれ前後方向に摺動可能に保持されている。
【００３３】
また、ＨＥＰＡフィルター３４が収納される中間仕切板１８ａの上側の空間には、図５に示すように、押さえ枠６０が奥側の蝶番６２を介して集塵室１８内部に回転自在に設けられており、ＨＥＰＡフィルター３４の上面はこの押さえ枠６０によって気密性を保持するように固定されている。また、ＨＥＰＡフィルター３４の下面の外縁と中間仕切板１８ａとの間はパッキン６４を介して密着状態とされている。さらに、ＨＥＰＡフィルター３６の左右側面の上側前方と、これに対向する集塵室１８の内面はキャッチクリップ６６を介して接続固定されている。ＨＥＰＡフィルター３４を外部に引き出す際には、キャッチクリップ６６を外し、押さえ枠６０の手前側を上方に押し上げてこれを蝶番６２周りに回転させることで、ＨＥＰＡフィルター３４を集塵室１８から簡単に引き出すことができる。
【００３４】
さらに、このケース前側面１２ａの下側には、上記のプレフィルター３２を集塵室１８の内部から引き出す際にフィルターの通過を阻害しないようケース前側面１２ａを開放するプレフィルターメンテナンス用の扉４８が設けられている。この扉４８はダストトレイ３６を外部に引き出す際の扉を兼ねている。また、この扉４８の上側には、上記のＨＥＰＡフィルター３４を集塵室１８の内部から引き出す際にケース前側面１２ａを開放するＨＥＰＡフィルターメンテナンス用の扉５０が設けられている。なお、扉５０の上方のケース前側面１２ａには、静圧や流量等を制御する制御盤やストップバルブなどの操作器具類を設けることができる。
【００３５】
各扉４８，５０は、それぞれ下側左右に埋め込み式の取手５２を備える長板状のものであり、上縁左右に設けた蝶番５４と、左右縁の下側に設けたキャッチクリップ５６を介してケース前側面１２ａに取り付けられ、集塵運転時には内部の気密性を保持するようになっている。外部より各扉４８，５０を開く際には、キャッチクリップ５６を外し、取手５２を掴んで扉４８，５０を手前側に引き、蝶番５４周りに回転させることで簡単に開くことができる。
【００３６】
上記の構成によれば、フィルター交換や清掃の際には、ケース前側面１２ａからメンテナンス用の扉４８，５０を開き、集塵室１８の内部の各フィルター３２，３４およびダストトレイ３６を手前側に引き出すことで、これを集塵ユニット１０から容易に取り出すことができる。
【００３７】
このため、集塵ユニット１０を設置する部屋１４（図４を参照）の出入口となる間口側にケース前側面１２ａが位置するよう集塵ユニット１０を配置すれば、集塵ユニット１０を部屋１４から出さなくても、部屋１４のドア１４ａを開けて間口側からメンテナンス用の扉４８，５０を開けば各フィルター３２，３４およびダストトレイ３６を手前側に引き出すことができる。また、各フィルター３２，３４は、空気通過面が上下方向を向く平面状のフィルターであるので、その引き出し操作を机や棚等の引き出しを引き出すのと同じ操作要領で簡単に行える。したがって、フィルター交換や清掃に係るメンテナンス作業を非常に容易に行うことができる。
【００３８】
また、上記の構成によれば、安価で入手できる汎用のフィレドンフィルター（プレフィルター）を利用可能であることから、フィルター交換に係る費用を低く抑えることができる。したがって、メンテナンスコストを抑制することができる。
【００３９】
さらに、医薬品製造工場などの建物レイアウトにおいて、集塵ユニット１０を設置する部屋の占有面積を小さくでき、この結果、クリーンルームなどの生産エリアをより大きく確保することが可能になる。
【００４０】
また、本実施の形態によれば、排気空気は、集塵ユニット１０が配置される狭い部屋１４に排気されるので、クリーンルームから集塵した粉塵を再びクリーンルームに排出するおそれがないとともに、清掃の対象範囲を狭くすることができる。さらに、集塵ユニット１０のファン３８は、作業員が居るクリーンルームから隔離した外部の部屋１４に配置されるので、作業員が感じる騒音を小さくすることができる。
【００４１】
また、本実施の形態では、複数枚のフィルター（５枚のプレフィルター３２と１枚のＨＥＰＡフィルター３４）を上下に積層配置したので、フィルターの汚れ方は気流の向きに応じて上流側のフィルターから下流側のフィルターに向かって順にひどくなる。本実施の形態では、含塵空気は下から上に向けて流れるので、５段（５枚）のうち最下段に位置するプレフィルター３２が最も汚れることになる。このフィルターから順番に集塵ユニット１０から取り出して、取り出したフィルターを清掃し、あるいはこのフィルターを交換することができる。
【００４２】
さらに必要に応じて、より上段のフィルター（プレフィルター３２またはＨＥＰＡフィルター３４）を取り出して清掃あるいはフィルター交換することができる。このように積層配置したものから個別のフィルターを引き出し可能にすることで、メンテナンスが不要なフィルターを取り出さずに済み、メンテナンスが必要なフィルターだけを簡単に取り出すことができる。このため、フィルターの清掃や交換作業が省力化されて容易になる。
【００４３】
上記の実施の形態において、集塵室１８に備わるフィルターとして、空気通過面が上下方向を向く平面状のフィルターを用いた場合について説明したが、本発明はこれに限るものではない。例えば空気通過面が左右方向を向く平面状のフィルターなど、空気通過面がケース前側面１２ａに対して垂直な面である平面状のフィルターであればいかなる態様のものを用いてもよい。このようにしても、フィルター交換や清掃の際に、ケース前側面１２ａからメンテナンス用の扉を開き集塵室１８の内部のフィルターを手前側に引き出すことで、これを集塵ユニットから容易に取り出すことができる。
【００４４】
また、このフィルターを積層配置した場合についても、フィルターの汚れ方は気流の向きに応じて上流側のフィルターから下流側のフィルターに向かって順にひどくなることから、上流側のフィルターから順番に集塵ユニットから取り出して清掃あるいはフィルター交換すればよい。積層配置したものから個別のフィルターを引き出し可能にすることで、メンテナンスが不要なフィルターを取り出さずに済み、メンテナンスが必要なフィルターだけを簡単に取り出すことができる。このため、フィルターの清掃や交換作業が省力化されて容易になる。
【００４５】
以上説明したように、本発明に係る集塵ユニットによれば、吸気口を介してケースの内部の集塵室に吸い込んだ含塵空気を濾過するフィルターを備えた集塵ユニットであって、前記フィルターは、空気通過面が前記ケースの前側面に対して垂直な面である平面状のフィルターであり、前記ケースの前側面から前後方向に引き出し可能に前記集塵室の内部に設けられ、前記ケースの前側面には、前記フィルターを前記集塵室の内部から引き出す際に前記フィルターの通過を阻害しないよう前記ケースの前側面を開放するメンテナンス用の扉が設けられるので、フィルター交換や清掃の際には、ケースの前側面からメンテナンス用の扉を開いて集塵室の内部のフィルターを手前側に引き出すことで、これを集塵ユニットから容易に取り出すことができる。これにより、フィルター交換や清掃に係るメンテナンス作業を容易に行うことができるという効果を奏する。また、フィルターの形状が平面状であり、安価で入手できる汎用のフィレドンフィルター（プレフィルター）を利用可能であることから、フィルター交換に係る費用を低く抑えることができる。したがって、メンテナンスコストを抑制することができる。
【００４６】
また、本発明に係る他の集塵ユニットによれば、前記フィルターは、空気通過面が上下方向を向く平面状のフィルターであるので、フィルターの引き出し操作を、机や棚等の引き出しを引き出すのと同じ要領で簡単に行える。
【００４７】
また、本発明に係る他の集塵ユニットによれば、複数枚の前記フィルターを積層配置したので、フィルターの汚れ方は気流の向きに応じて上流側のフィルターから下流側のフィルターに向かって順にひどくなる。例えば、空気通過面が上下方向を向く平面状のフィルターを上下に積層配置したものにおいて、含塵空気が下から上に向けて流れる場合には、最下段に位置するフィルターが最も汚れるので、このフィルターから順番に集塵ユニットから取り出してフィルターを清掃し、あるいはフィルター交換することができる。さらに必要に応じて、より上段のフィルターを取り出して清掃あるいはフィルター交換することができる。このように積層配置したものから個別のフィルターを引き出し可能にすることで、メンテナンスが不要なフィルターを取り出さずに済み、メンテナンスが必要なフィルターだけを簡単に取り出すことができる。このため、フィルターの清掃や交換作業が省力化されて容易になる。
【００４８】
また、本発明に係る他の集塵ユニットによれば、前記フィルターを、複数枚のプレフィルターと、この複数枚のプレフィルターで濾過した空気をさらに濾過するメインフィルターとを含んで構成したので、上記の効果に加えて、集塵効果を高めることができる。
【００４９】
また、本発明に係る他の集塵ユニットによれば、前記フィルターで濾過された空気を前記ケースの外部に排気する排気口をさらに備え、この排気口に排気空気を濾過するためのフィルターを設けたので、上記の効果に加えて、排気口から排気される空気の清浄度を高めることができる。
【産業上の利用可能性】
【００５０】
以上のように、本発明に係る集塵ユニットは、例えば医薬品を製造する医薬品製造工場などに備わるクリーンルームなどの室内で発生する粉塵を集塵処理するのに有用であり、特に、フィルター清掃や交換に係るメンテナンス作業を容易にして、メンテナンスコストを抑制するのに適している。
【符号の説明】
【００５１】
１０  集塵ユニット
１２  ケース
１２ａ  ケースの前側面
１４  部屋
１６  仕切板
１６ａ  開口
１８  集塵室
１８ａ  中間仕切板
２０  ファン室
２２  吸気口
２４，２８  ダクト
２６  排気口
３０  キャスター車輪
３２  プレフィルター（フィルター）
３２ａ  長方形枠体
３４，４６  ＨＥＰＡフィルター（フィルター）
３６  ダストトレイ
３８  ファン
３８ａ  ケーシング
３８ｂ  吸入口
３８ｃ  吐出口
３８ｄ  通風路
４０  ファンモータ
４２  基台
４４  扉
４８，５０  扉（メンテナンス用の扉）
５２  取手
５４，６２  蝶番
５６，６６  キャッチクリップ
５８  案内レール
６０  押さえ枠
６４  パッキン
【図１】
2016049470.tif 000003
【図２】
2016049470.tif 000004
【図３】
2016049470.tif 000005
【図４】
2016049470.tif 000006
【図５】
2016049470.tif 000007
【図６】
2016049470.tif 000008
【図７】
2016049470.tif 000009
【図８】
2016049470.tif 000010